(57)【要約】【課題】蝶番を箱体本体から取り外さずに扉体の着脱が容易にできる機器収納用箱体を提供する。【解決手段】機器収納用箱体１は、箱体本体２の上下両端部に扉体３を支持する蝶番４を設け、蝶番４は扉体３の端縁に設けられた軸孔３ａに挿入して係止する軸部４ａと、箱体本体２にネジ６により固定される固定部４ｂと、扉体３の開閉時及びネジ６の締め付け・緩め操作時に蝶番４自体の回転を防止する回転防止部４ｃとを有し、ネジ６の中心軸が軸部４ａの軸方向と同一方向となるように形成した固定部４ｂの挿通孔４ｄにネジ６を挿通させて箱体本体２のネジ孔５ｂに固定し、ネジ６を締め付けた状態で軸部４ａが扉体３の軸孔３ａに係止して扉体３を支持し、ネジ６を緩めた状態で軸部４ａが扉体３の軸孔３ａから抜脱して扉体３を外せるようにする。【選択図】図８
2010019044.tif 000002
【特許請求の範囲】
【請求項１】
機器を収納する箱体本体と、該箱体本体の前面開口を施蓋する扉体と、前記箱体本体に対して前記扉体を開閉自在に支持する蝶番とで成る機器収納用箱体において、前記蝶番は前記箱体本体の上部に設けられる上側蝶番と前記箱体本体の下部に設けられる下側蝶番とで成り、前記上側蝶番及び／又は前記下側蝶番は前記扉体の端縁に設けられた軸孔に挿入して係止する軸部と、前記箱体本体にネジにより固定される固定部とを有し、前記ネジの中心軸が前記軸部の軸方向と同一方向となるように前記固定部の挿通孔に前記ネジを挿通させて前記箱体本体に固定し、前記ネジを締め付けた状態で前記軸部が前記扉体の軸孔に係止し、前記ネジを緩めた状態で前記軸部が前記扉体の軸孔から抜脱するようにしたことを特徴とする機器収納用箱体。
【請求項２】
前記蝶番は前記ネジを軸にして回転するのを防止するために前記軸部と同一方向に伸びて前記箱体本体に当接する回転防止部を有し、該回転防止部は前記軸部の長さより長くしたことを特徴とする請求項１に記載の機器収納用箱体。
【請求項３】
前記蝶番は金属板材を折曲形成して成ることを特徴とする請求項１又は請求項２に記載の機器収納用箱体。
【請求項４】
前記ネジを締め込んだ状態で前記扉体を閉塞すると前記ネジの頭部が前記扉体に覆われることを特徴とする請求項１乃至請求項３の何れかに記載の機器収納用箱体。
【請求項５】
前記ネジを緩めた状態で前記扉体を閉操作すると前記ネジに前記扉体の端縁が干渉して前記扉体が閉塞できないようにしたことを特徴とする請求項４に記載の機器収納用箱体。
【発明の詳細な説明】
【技術分野】
【０００１】
本発明は、機器収納用箱体の蝶番構造に関する。
【背景技術】
【０００２】
各種機器を収納する機器収納用箱体の蝶番としては例えば特許文献１に記載されるものがある。この蝶番は機器を収納する箱体本体に設けられる円筒状の箱体側蝶番と、箱体本体の前面開口を施蓋する扉体に設けられる円筒状の扉体側蝶番と、これらの箱体側蝶番と扉体側蝶番に挿通される蝶番ピンとで成り、箱体側蝶番と扉体側蝶番に蝶番ピンを抜き差しすることで扉体を着脱可能に設けていた。箱体側蝶番及び扉体側蝶番は板金プレスによるカーリング加工により形成され、蝶番ピンは切削加工により形成され、箱体側蝶番及び扉体側蝶番は溶接により固定されていた（例えば、特許文献１参照。）。
【０００３】
【特許文献１】特開２００３−１２９７３０号公報
【発明の開示】
【発明が解決しようとする課題】
【０００４】
従来の蝶番は扉体の着脱作業時に蝶番ピンを抜き取るので紛失する虞があった。また、蝶番の溶接位置ずれにより蝶番ピンが固くて抜き差ししづらく、扉体の着脱が困難な場合があり、逆に蝶番から蝶番ピンが容易に抜け落ちてしまう場合があった。また、蝶番が溶接されているので扉体の開閉方向を変更することができず、箱体本体や扉体に跡が出たり、歪が発生したりする虞があった。また、蝶番の形成に当たってカーリング加工をするためには特殊な金型が必要であり、切削加工ではコストがかかるという欠点があった。
【課題を解決するための手段】
【０００５】
本発明は、請求項１に記載の発明によれば、機器を収納する箱体本体と、箱体本体の前面開口を施蓋する扉体と、箱体本体に対して扉体を開閉自在に支持する蝶番とで成る機器収納用箱体において、蝶番は箱体本体の上部に設けられる上側蝶番と箱体本体の下部に設けられる下側蝶番とで成り、上側蝶番及び／又は下側蝶番は扉体の端縁に設けられた軸孔に挿入して係止する軸部と、箱体本体にネジにより固定される固定部とを有し、ネジの中心軸が軸部の軸方向と同一方向となるように固定部の挿通孔にネジを挿通させて箱体本体に固定し、ネジを締め付けた状態で軸部が扉体の軸孔に係止し、ネジを緩めた状態で軸部が扉体の軸孔から抜脱するようにしたことを特徴とする。
【０００６】
請求項２に記載の発明によれば、請求項１に記載の機器収納用箱体において、蝶番はネジを軸にして回転するのを防止するために軸部と同一方向に伸びて箱体本体に当接する回転防止部を有し、回転防止部は軸部の長さより長くしたことを特徴とする。
【０００７】
請求項３に記載の発明によれば、請求項１又は請求項２に記載の機器収納用箱体において、蝶番は金属板材を折曲形成して成ることを特徴とする。
【０００８】
請求項４に記載の発明によれば、請求項１又は請求項３の何れかに記載の機器収納用箱体において、ネジを締め込んだ状態で扉体を閉塞するとネジの頭部が扉体に覆われることを特徴とする。
【０００９】
請求項５に記載の発明によれば、請求項４に記載の機器収納用箱体において、ネジを緩めた状態で扉体を閉操作するとネジに扉体の端縁が干渉して扉体が閉塞できないようにしたことを特徴とする。
【発明の効果】
【００１０】
請求項１に記載の発明によれば、ネジを締め付け又は緩めるだけで扉体の着脱が容易にでき、蝶番を箱体本体から取り外さずに扉体を外すことができるので紛失することがない。また、ネジにより蝶番を固定するので溶接の跡が出たり、歪が発生したりすることがなく、扉体を上下逆にして蝶番を取り付けることでの扉体の開閉方向を変更することができるという効果がある。
【００１１】
請求項２に記載の発明によれば、請求項１に記載の発明の効果に加えて、蝶番の組み付け時に位置決めができ、また、扉体の開閉時及びネジの締め付け・緩め操作時に蝶番が回転しないので作業がしやすいという効果がある。
【００１２】
請求項３に記載の発明によれば、請求項１又は請求項２に記載の発明の効果に加えて、特殊な金型が不要で、安価に製作できるという効果がある。
【００１３】
請求項４に記載の発明によれば、請求項１乃至請求項３の何れかに記載の発明の効果に加えて、扉体を閉塞した状態から扉体を取り外すことができないので防犯性が良いという効果がある。
【００１４】
請求項５に記載の発明によれば、請求項４に記載の発明の効果に加えて、作業時にネジの締め付け不良を知ることができるという効果がある。
【発明を実施するための最良の形態】
【００１５】
機器収納用箱体は、箱体本体の上下両端部に扉体を支持する蝶番を設け、蝶番は扉体の端縁に設けられた軸孔に挿入して係止する軸部と、箱体本体にネジにより固定される固定部と、扉体の開閉時及びネジの締め付け・緩め操作時に蝶番自体の回転を防止する回転防止部とを有し、ネジの中心軸が軸部の軸方向と同一方向となるように形成した固定部の挿通孔にネジを挿通させて箱体本体のネジ孔に固定し、ネジを締め付けた状態で軸部が扉体の軸孔に係止して扉体を支持し、ネジを緩めた状態で軸部が扉体の軸孔から抜脱して扉体を外せるようにする。
【実施例１】
【００１６】
本発明に係る機器収納用箱体の実施例１を図１〜図８の添付図面に基づいて説明する。
【００１７】
機器収納用箱体１は各種機器を収納する箱体本体２と、箱体本体２の前面開口を施蓋する扉体３と、箱体本体２に対して扉体３を開閉自在に支持する蝶番４とで成っている。
【００１８】
箱体本体２は背板２ａの左右両端に側板２ｂが立設され、背板２ａの上部及び下部は段曲げ加工により内側に嵩上げされ、嵩上げ部２ｃの右端に蝶番４の取付面５ａを水平にして蝶番受け部５が固定されている。蝶番受け部５は蝶番４の取付面５ａに蝶番４を固定するネジ６が螺合するためのネジ孔５ｂが形成されるとともに、蝶番４の回転防止のための角孔５ｃが形成されている。また、箱体本体２の嵩上げ部２ｃには上下側板２ｄが設けられている。
【００１９】
扉体３は上面及び下面に蝶番４の軸部４ａが挿入する軸孔３ａが形成されている。軸孔３ａには樹脂材料により形成されたカバー体３ｂが設けられ、蝶番４の軸部４ａがスムーズに回転するようにするとともに、回転により傷が付くのを防止している。
【００２０】
蝶番４は箱体本体２の上部に設けられる上側蝶番と、箱体本体２の下部に設けられる下側蝶番とで成り、上側蝶番及び下側蝶番は扉体３の軸孔３ａに挿入して係止する軸部４ａと、蝶番受け部５に固定される固定部４ｂと、蝶番受け部５の角孔５ｃに挿入されて回転防止をする回転防止部４ｃとを金属板材で折曲形成して成っている。固定部４ｂには蝶番受け部５に固定するためのネジ６が挿通する挿通孔４ｄが形成され、挿通孔４ｄは挿通されたネジ６の中心軸が軸部４ａの軸方向と同一方向となるように形成されている。また、回転防止部４ｃは軸部４ａと同一方向に延設されて、軸部４ａの長さより長く形成され、ネジ６のネジ部６ａも軸部４ａの長さより長く形成されている。
【００２１】
こうして形成された蝶番４は上側蝶番と下側蝶番で上下対称に形成され、上側蝶番では箱体本体２の蝶番受け部５の角孔５ｃに蝶番４の回転防止部４ｃを上方向から差し込んで位置決めし、蝶番４の挿通孔４ｄにネジ６を上方向から挿通させて蝶番受け部５のネジ孔５ｂに締め付け固定することで取り付けられる。また、下側蝶番では上側蝶番とは逆に箱体本体２の蝶番受け部５の角孔５ｃに蝶番４の回転防止部４ｃを下方向から差し込み、蝶番４の挿通孔４ｄにネジ６を下方向から挿通させて蝶番受け部５のネジ孔５ｂに締め付け固定することで取り付けられる。
【００２２】
蝶番４に扉体３を取り付けるには、上側蝶番又は下側蝶番の何れか一方側のネジ６を完全に取り外さないように緩め、蝶番４をネジ６の頭部６ｂ側に移動させる。そして、他方側の蝶番４の軸部４ａに扉体３の軸孔３ａを嵌めて差し込み、蝶番４の軸部４ａを扉体３の軸孔３ａに係止させる。それから、ネジ６が緩められた一方側の蝶番４の軸部４ａを扉体３の軸孔３ａに位置を合わせ、蝶番４の軸部４ａを扉体３の軸孔３ａに差し込み、ネジ６を締め付けて固定することで扉体３が取り付けられる。尚、扉体３の取り付けは上側蝶番のネジ６を緩めて行うと下側蝶番の軸部４ａに扉体３の軸孔３ａを差し込んだ際に扉体３を支持できるので作業がしやすい。
【００２３】
また、蝶番４から扉体３を取り外すには、上側蝶番又は下側蝶番の何れか一方側のネジ６を完全に取り外さないように緩め、蝶番４をネジ６の頭部６ｂ側に移動させて軸部４ａを扉体３の軸孔３ａから抜脱させ、扉体３を持って他方側の蝶番４の軸部４ａから扉体３の軸孔３ａを抜脱することで取り外す。
【００２４】
箱体本体２に蝶番４を介して取り付けられた扉体３は蝶番４の軸部４ａを中心に開閉自在にされる。扉体４の開閉時及びネジ６の締め付け・緩め操作時に蝶番４は蝶番受け部５の角孔５ｃに挿入された回転防止部４ｃによってネジ６を支点に蝶番４が回転するのを防止しており、作業が良好に行えるようになっている。また、ネジ６が緩んだ状態では扉体３を閉塞操作した際にネジ６の頭部６ｂが扉体３の端縁に干渉して扉体３が閉塞できないようになっており、作業時にネジ６の締め付け不良を知ることができる。完全に締め付け固定されたネジ６の頭部６ｂは扉体３を閉塞した状態で扉体３に覆われるため、ネジ６を緩めることができず、扉体３を外されることがないので防犯性に優れている。
【００２５】
尚、本実施例では、上側蝶番と下側蝶番ともネジ６によって蝶番４が軸部４ａの軸方向に可動するようにしたが、何れか一方の蝶番は蝶番受け部５に軸部４ａを一体に形成しても良い。また、蝶番受け部５も箱体本体２に一体に形成しても良い。また、扉体３を右開きに設けたが、蝶番受け部５、蝶番４、扉体３、ハンドル７の係止片７ａが係止する係止板８を上下逆にした上で左右反対側に取り付け、更にハンドル７を上下逆にして係止片７ａを左右逆に付け替えることで左開きにすることも可能である。また、蝶番４の回転防止として蝶番受け部５の角孔５ｃに蝶番４の回転防止部４ｃを挿入する形状にしているが、これに限定するものではなく例えば、蝶番受け部５の２つの端縁に当接するような形状であっても良い。また、ネジ６はローレットネジなどツマミ付きにして工具を使わずに手で回せるようにしても良い。
【図面の簡単な説明】
【００２６】
【図１】本発明に係る機器収納用箱体を示す斜視図である。
【図２】箱体本体を示す斜視図である。
【図３】図２のＡ部拡大図である。
【図４】上側蝶番を示す斜視図である。
【図５】下側蝶番を示す斜視図である。
【図６】扉体を開放した状態の機器収納用箱体の斜視図である。
【図７】図６のＢ部拡大図であり、蝶番の軸部を扉体の軸孔に挿入した様子を示す斜視図である。
【図８】蝶番の軸部を扉体の軸孔から抜脱した様子を示す斜視図である。
【符号の説明】
【００２７】
１    機器収納用箱体
２    箱体本体
３    扉体
３ａ    軸孔
４    蝶番
４ａ    軸部
４ｂ    固定部
４ｃ    回転防止部
４ｄ    挿通孔
５    蝶番受け部
５ａ    取付面
５ｂ    ネジ孔
５ｃ    角孔
６    ネジ
６ａ    ネジ部
６ｂ    頭部
【図１】
2010019044.tif 000003
【図２】
2010019044.tif 000004
【図３】
2010019044.tif 000005
【図４】
2010019044.tif 000006
【図５】
2010019044.tif 000007
【図６】
2010019044.tif 000008
【図７】
2010019044.tif 000009
【図８】
2010019044.tif 000010